(57)【要約】【課題】  現在のＳＮＳ等での投稿内容を効率よく簡単に検出し、評判情報を得ること【解決手段】  複数のＳＮＳ等に対して指定されたキーワードに基づいて検索を実行し、得られた検索結果である各投稿をＳＮＳ毎にわけて情報表示領域１８に表示する。情報表示領域内の各投稿は、タイムスタンプに基づいて時系列に並び、最新のものほど上に位置する。ＳＮＳ別に投稿が分けられているので、見やすく目的の投稿を見つけたり、現在話題になっている評判情報を容易に見つけることができる。【選択図】  図５
2014026614.tif 000002
【特許請求の範囲】
【請求項１】
複数種類のソーシャルメディアに対して指定されたワードに基づいて検索を実行できる検索機能、
設定された表示条件に基づき、縦軸と横軸の各軸に、設定されたグループに関連されたソーシャルメディアの投稿についての情報を配置するように表示する表示機能、
を備えた検索・情報表示システム。
【請求項２】
前記設定されたグループは、前記ソーシャルメディアの種類別あるいは情報発信するメディア別であることを特徴とする請求項１に記載の検索・情報表示システム。
【請求項３】
投稿された時間順に沿って各投稿を配置することを特徴とする請求項１〜２のいずれか１項に記載の検索・情報表示システム。
【請求項４】
前記検索機能は、前記複数種類のソーシャルメディアのうち表示するソーシャルメディアについてのみ検索を行うことを特徴とする請求項１〜３のいずれか１項に記載の検索・情報表示システム。
【請求項５】
前記検索機能は、指定された時間に投稿されたものを検出することを特徴とする請求項１〜４のいずれか１項に記載の検索・情報表示システム。
【請求項６】
前記表示機能は、前記縦軸と前記横軸に沿って配列した情報に重ね、別の表示条件にしたがって求めた情報を表示する機能を備えたことを特徴とする請求項１〜５のいずれか１項に記載の検索・情報表示システム。
【請求項７】
ユーザからの指示に従い前記表示条件を設定する機能を備える請求項１〜６のいずれか１項に記載の検索・情報表示システム。
【請求項８】
ユーザのＳＮＳに関する情報を取得し、そのユーザのＳＮＳに投稿された内容に基づいて検索する機能を備えたことを特徴とする請求項１〜７のいずれか１項に記載の検索・情報表示システム。
【発明の詳細な説明】
【技術分野】
【０００１】
この発明は、インターネット上に投稿・配信等されている情報を検索・収集し、表示する検索システムに関する。
【背景技術】
【０００２】
近年、インターネットを使って情報収集を行うことが一般的になっている。特に、Ｗｅｂ検索エンジンによるＷｅｂ検索は、情報収集を行う際に非常に有効な方法の一つである。現在サービス中のＷｅｂ検索エンジンの多くは、ウェブクローラーと呼ばれるプログラムがインターネット網を巡回し、ネット上に存在するＷｅｂサイトのデータを自動的に取得している。ユーザがユーザ端末からキーワード入力で検索要求をＷｅｂ検索エンジンに送り、検索結果をユーザ端末に返信する。その際に表示される検索結果のＷｅｂサイト情報一覧のサイト情報の並び順位（ページスコア）は、Ｗｅｂ検索エンジンで取得されたデータをもとに独自アルゴリズム、例えばアクセス回数などのページスコアで自動的に決定されている。
【０００３】
また、最近では一般的なホームページ（Ｗｅｂサイト）ではなく、インターネット上で提供される各種のサービス，ソーシャルメディアを利用し、個人等が種々の情報を発信している。これらのサービスやソーシャルメディアの一例としては、例えば、オープンなサービスであるブログ（Ｗｅｂｌｏｇ）、クローズドなコミュニティーサービスであるＳＮＳ（ソーシャルネットワークサービス）などがある。ＳＮＳはソーシャルメディアの一例でも有り、ソーシャルメディアの中には、ＹｏｕＴｕｂｅやニコニコ動画などの動画共有サイトなどもある。
【先行技術文献】
【特許文献】
【０００４】
【特許文献１】特開２００４−２７２４９２号公報
【発明の概要】
【発明が解決しようとする課題】
【０００５】
例えば、キーワードを入力し、従来の検索エンジンを用いて検索をかけると、各ＳＮＳやＷｅｂサイトでの検索結果が混在した状態で表示される。そして検索結果の表示態様は、検索エンジンに対応した最適化（ＳＥＯ）がなされた結果が、上位から順番に表示される。
【０００６】
したがって、例えばＳＮＳでの投稿内容からある評判情報を検索しようとした場合に、その評判情報を得たい事項をキーワードとして一般的な検索エンジンを利用すると、各ＳＮＳやＷｅｂサイトでの検索結果が混在した状態で表示されてしまい、各ＳＮＳを限定して検索を行うのは手間がかかる。また検索エンジンに対応した最適化（ＳＥＯ）がなされた結果が上位に表示されてしまい、ＳＮＳ毎にリアルタイムに評判状況を検索することは難しい。
【０００７】
特にＳＮＳの場合、リツイートなどにより同一内容のツイートが拡散していくことで、係る同一内容の複数のツイートが検索されることが多々ある。この場合、最適化がなされることで、係る複数のツイートが同じような優先度・順位となり、同じ内容のツイートが、検索結果として連続して多数表示されることがあり煩わしい。一つのページ中に同じ内容のツイートが複数表示されると、一度に見ることのできる情報量が少なくなり評判情報等を迅速かつ適切に認識することができなくなる。
【０００８】
そこで本発明は、現在のＳＮＳ等での投稿内容を効率よく簡単に検出し、評判情報を得ることができることを目的とする。
【課題を解決するための手段】
【０００９】
上記の課題を解決するために、本発明の検索・情報表示システムは、（１）複数種類のソーシャルメディアに対して指定されたワード（キーワード，ハッシュタグ等）に基づいて検索を実行できる検索機能、設定された表示条件に基づき、縦軸と横軸の各軸に、設定されたグループに関連されたソーシャルメディアの投稿についての情報を配置するように表示する表示機能を備える。また、表示機能の一例としては、例えば、設定された表示条件に基づき、縦軸と横軸の一方の軸には設定されたグループごとに配置し、他方の軸には各設定されたグループに関連する指定されたソーシャルメディアの投稿についての情報を配置するように表示するようにするとよい。複数種類のソーシャルメディアは、例えば、ＴｗｉｔｔｅｒやＦａｃｅｂｏｏｋなどのクローズドのコミュニケーションをとるための狭義のＳＮＳや、ＹｏｕＴｕｂｅなどの動画共有サイト等の他、各種のものがある。ＹｏｕＴｕｂｅ等もネットワークを介してコミュニケーションを採るためのサービスとすれば、広義のＳＮＳとも言える。本発明でいうＳＮＳは、狭義のものと広義のもののいずれも含む。複数の種類のソーシャルメディアは、狭義のＳＮＳを複数種類の場合と、広義のＳＮＳを含んで複数種類の場合のいずれもある。「検索を実行できる」とは、検索可能となっていれば良く、ユーザから検索指示を受けた際に実際に検索をするか否かは問わない。すなわち、本発明は、多くのソーシャルメディアに対して横断的に検索をかけることで、投稿された情報を漏れなく拾える機能を備える。一方、ソーシャルメディアの種類は多数有り、狭義のＳＮＳに絞ってみてもその数は増加傾向にある。そして、各ソーシャルメディアは、テキスト，画像，動画といった情報の表現媒体が異なるものはもちろん、同じテキストを使用するものでも各サービスの提供者の方針やＳＮＳに加入する人間の性格等により投稿される内容もそれぞれ特徴がある。よって、あるユーザにとって得たい情報を発信しているＳＮＳと発信していないＳＮＳも存在する。従って、例えば異なる種類のソーシャルメディアについての検索結果を一つに纏めて表示すると、見にくく、目的の投稿を検出するのが煩雑となる。そこで、本発明では、検索結果の表示を、設定された表示条件に沿ってグループに分けて投稿内容をまとめ、縦軸・横軸に並ぶように配置した。本発明は、少なくとも縦軸・横軸に並ぶようにすれば良く、例えば奥行き方向の軸を加えて３次元に配置するようにしても良い。
【００１０】
このように多数の種類が存在することが有り、ユーザにとって表示に有益なソーシャルメディアは限られてくるとともに、ユーザごとにも異なる。そこで、本発明では、複数の種類のソーシャルメディアについて検索できる検索機能を備えつつ、実際の検索処理は必要なものについて行うことで無駄な検索処理を行うことを抑制し、制御部の負荷を低減できる。なお、この発明では、表示に使用しないソーシャルメディアについても検索処理をすることは妨がない。そして好ましくは、検索機能は、ネットワーク上で提供される全てのソーシャルメディアを検索可能とすることである。
【００１１】
本発明によれば、表示条件に従って、複数のグループに分けて、それぞれのグループに属する投稿を所定の順で並べて配置する。従って、各投稿は、縦横に並んで並列配置されるので、ユーザは必要なグループのものを効率よく見ることができる。また、横に並んだ投稿同士を対比することで、ユーザは、評判情報等を迅速かつ適切に認識することもできる。
【００１２】
（２）前記設定されたグループは、前記ソーシャルメディアの種類別あるいは情報発信するメディア別とするとよい。ソーシャルメディアの種類別とすることで、検索結果を例えばＳＮＳ別等に分けて表示することができる。情報発信するメディアは、実施形態ではテレビ，ラジオ，新聞，雑誌といったマスメディアに対応する。メディア別とは、それら「テレビ」，「ラジオ」，「新聞」，「雑誌」別というように大きなくくりで分ける場合と、実施形態で具体的に示したように選択された一つのメディア「テレビ」についてテレビ局毎に分けるものの両方を含む。
【００１３】
（３）投稿された時間順に沿って各投稿を配置するとよい。時間順にすることで、最新の投稿を一括・集中してみることができ、現在話題となっている旬な情報を容易に取得できる。
【００１４】
（４）前記検索機能は、前記複数種類のソーシャルメディアのうち表示するソーシャルメディアについてのみ検索を行うようにするとよい。検索機能としては多くのソーシャルメディアについて備えることで、多くのユーザに対して適切に対応することができるようになる。一方、実際に検索処理を実行するは必要最小限のものとすることで、負荷の軽減を図るので好ましい。
【００１５】
（５）前記検索機能は、指定された時間に投稿されたものを検出するようにするとよい。指定された時間は、例えば現在時刻から過去のもののように一点の時刻を指定するものと、始期と終期のそれぞれの日時を指定するものがある。実施形態でも示すように、通常は、現在時刻を基準に検索を行うことが多い。また、時間の指定は、ユーザが行うものとデフォルトとして設定しているものがある。デフォルトは、例えば現在時刻を基準に過去に投稿されたものとなる。一方、始期と終期を指定することで、例えば、テレビやラジオのある番組についての投稿の絞り込みを容易に行うことができる。また、○○曜日の××時台のように特定の時間帯でのテレビ・ラジオの番組についての世間の興味の程度、話題を効率よく取得できる。
【００１６】
（６）前記表示機能は、前記縦軸と前記横軸に沿って配列した情報に重ね、別の表示条件にしたがって求めた情報を表示する機能を備えるとよい。別の表示条件は、実施形態では検索結果密度（単位時間内における検索結果数）である。このようにすることで３次元での表示が可能となる。
【００１７】
（７）ユーザからの指示に従い前記表示条件を設定する機能を備えるとよい。実施形態では、例えば図９に示すような条件設定画面に入力することでユーザが任意の条件設定を行うことができる。
【００１８】
（８）ユーザのＳＮＳに関する情報を取得し、そのユーザのＳＮＳに投稿された内容に基づいて検索する機能を備えるとよい。ユーザのＳＮＳでの投稿内容についての評価や、投稿内容の拡散状況等の把握が容易に行える。
【００１９】
さらにＳＮＳ上での特定のワード、トピックに対する評判状況と、ＳＮＳや世の中で注目されているトピック情報もあわせて表示することで、ＳＮＳ上での話題をわかりやすく整理し、提供することができる。
【発明の効果】
【００２０】
本発明は、現在のＳＮＳ等での投稿内容を効率よく簡単に検出し、評判情報を得ることができる。
【図面の簡単な説明】
【００２１】
【図１】本発明が適用されるシステムの一例を示す図である。
【図２】トップページの一例を示す図である。
【図３】トップページの一例を示す図である。
【図４】トップページの一例を示す図である。
【図５】（ａ）はＳＮＳ別検索を実行した検索結果の表示例であり、（ｂ）は（ａ）の一部を拡大して示す図である。
【図６】作用を説明するための表示画面の一例を示す図である。
【図７】作用を説明するための表示画面の一例を示す図である。
【図８】メディア別検索を実行した検索結果の表示例を示す図である。
【図９】ユーザによる設定画面の一例を示す図である。
【図１０】検索結果の表示例を示す図である。
【発明を実施するための形態】
【００２２】
以下、図面を用いて本発明の好適な実施形態を説明する。図１は、本発明の検索・情報表示システムを実施するための一例を示している。図１に示すように、ユーザが操作するユーザ端末１と、検索・情報表示システムを構成するウェブ・サーバ３とは、インターネット２を介して接続される。また、ウェブ・サーバ３は、テレビ・ラジオ・新聞・雑誌等の不特定多数の受け手を対象に情報を発信するメディア（マスメディア）・媒体についての情報を蓄積しているメディアデータベース４と、管理者端末５に接続される。図ではメディアデータベース４と管理者端末５は、ウェブ・サーバ３に直接接続されるように記載しているが、インターネット２等を経由して接続されるものでもよい。また、メディアデータベースの一部又は全部は、既設のデータベース・サーバを利用するとよい。さらに図示省略するが、インターネット２には、各種のＳＮＳサーバや、ブログその他の情報発信のサービスを提供するサーバ等が接続され、ユーザは、ユーザ端末１からインターネット２を経由して各サーバにアクセスし、自己のユーザ端末１の表示画面に表示する。
【００２３】
ユーザ端末１は、例えばパーソナルコンピュータ，スマートフォン，タブレットなど各種のものに対応する。少なくともインターネットに接続するものであればよい。好ましくは、インターネットにアクセスするための情報を入力する入力手段、インターネットに接続するためインターフェース、入力する情報や検索結果を表示するための表示部を一体に備えるものがよいが、一部の機能を別の装置で実行するものでも良い。
【００２４】
メディアデータベース４は、各種メディアについての情報が蓄積される。メディアについての情報は、対象となるメディアと、そのメディアを特定するメディア特定情報を関連付けた情報がある。メディア特定情報は、対象となるメディアを特定するワード、ハッシュタグ等である。メディアを特定するワードは、例えば、テレビ局名、ラジオ局名、雑誌名、新聞名といった直接的に特定するものと、テレビやラジオの番組名といった間接的に特定するものがある。同様にハッシュタグも、直接的に特定するものと間接的に特定するものがある。例えば、直接的に特定するハッシュタグは、テレビ局の場合、ＮＨＫ綜合であれば＃ｎｈｋ、ＮＨＫＥテレであれば＃ｅｔｖ、日本テレビであれば＃ｎｔｖなどがあり、ラジオ局の場合、ＮＨＫＦＭであれば＃ｆｍｎｈｋ、Ｊ−ＷＡＶＥであれば＃ｊｗａｖｅなどがある。また、具体的な例示は省略するが、例えばＮＨＫ綜合で放送されるある番組についてハッシュタグが付されている場合、そのハッシュタグはＮＨＫ綜合に関連付けられる。また、上記の例では、ハッシュタグは各局など各メディアが公式に設定したものであるが、ユーザ等の間で非公式に設定されたハッシュタグも対応するメディアに関連付けるようにしても良い。
また、メディアデータベース４には、例えばテレビやラジオの番組表に関する情報も登録される。
【００２５】
検索・情報表示システムを利用しようとするユーザは、ユーザ端末１を操作し、インターネット２を介してウェブ・サーバ３にアクセスする。ウェブ・サーバ３は、ユーザ端末１からのアクセスを受け付けると、所望のレイアウトからなる検索・情報表示システムのトップページを、ユーザ端末１に提供する。つまり、ウェブ・サーバ３は、ユーザ端末１に実装された公知のウェブの閲覧機能（例えば所定のブラウザ）と連動し、ユーザ端末１の表示装置の表示画面にトップページを表示する。
【００２６】
図２は、トップページの具体的なレイアウトの一例を示している。このトップページは、ページの上方中央にキーワードを入力するための検索窓１１を配置し、ページの左側にメニュー領域１２を固定配置する。さらに中央には、各種のインデックス表示領域１３、広告表示領域１４、記念日表示領域１５、急上昇ワード表示領域１６等を適宜の位置に配置する。各表示領域は矩形の表示領域であり、検索・情報表示システムは、ユーザ端末１の表示部の画面表示可能幅に合わせて、各領域１３〜１６の配置レイアウトを調整・変更する。これにより横方向にスクロールすることなく各領域が表示される。
【００２７】
また図２は、ユーザ端末１がパソコンの場合の表示例を示しており、図２中符号１０で示す枠は、ユーザ端末１の表示部に表示されるウインドウを模式的に示している。図示するように、トップページの横幅は、表示画面１０の横幅に符合し、縦方向の長さはウインドウ１０の高さよりも長く、表示画面１０の下方に突出した状態となる。図示省略するが、このようにページが上下の枠を超えるような場合、例えばトップページの右端にページの表示する部分を上下に移動するスクロールバーを表示する。ユーザは係るスクロールバーを操作して、目的の部分がウインドウ１０内にくるようにする。
【００２８】
表示部の画面表示可能幅は、例えば画面全体、すなわち、ウインドウ１０を最大にした際の横幅としても良いし、現在表示しているウインドウ１０の横幅としてもよい。前者の場合、ウインドウ１０のサイズ、特に横幅を変えると、トップページの左側及びまたは右側がウインドウ１０の外に位置する状態となる。また、画面表示可能幅に合わせた表示は、例えば、表示サイズ（倍率）が１００％を基準とし、倍率を変更した場合にはその１００％の時のレイアウトのまま拡大・縮小表示をするように制御する。また、拡大・縮小にあわせてレイアウトを変えるようにしてもよい。
【００２９】
また、上記のように表示部の画面表示可能幅にあわせて表示することで、ユーザ端末１の種類、表示部の画面サイズに関係なく、各領域をマトリクス状に画面を構成して表示することが可能となる。一例を示すと、図３は、ユーザ端末１としてタブレット端末を用いた場合のトップページの表示例であり、図４はユーザ端末１としてスマートフォンを用いた場合のトップページの表示例である。図３，図４における符号１０は、表示部の表示画面の枠を示している。なお、上記の説明では、ユーザ端末の種類に関係なく、一つのトップページを用意し提供するようにしたが、各端末の種類毎に適切な表示となるよう、種類毎にトップページを用意するとよい。
【００３０】
［トップページの領域の説明（その１）］
次にトップページの各領域について説明する。検索窓１１は、検索するためのキーワードを入力するための入力ボックス１１ａと、その入力ボックス１１ａの右端に配置された実行ボタン部１１ｂを備える。ユーザ端末１の入力装置を操作して入力ボックス１１ａに所定のキーワードを入力した状態で、実行ボタン部１１ｂがクリックされると、そのクリック時に入力ボックス１１ａ内に入力されていた文字列がウェブ・サーバ３に送られ、ウェブ・サーバ３にて取得した文字列に基づいて検索し、検索結果をユーザ端末１のウインドウ１０に表示する。
【００３１】
［キーワードに基づくＳＮＳ横断検索処理機能］（検索結果並列表示機能）
上述したように、検索窓１１に入力された文字列は、ウェブ・サーバ３に与えられる。また、検索窓１１に入力された文字列は、一または複数の単語からなる。単語は、文字間に配置されるスペースで区別する。
【００３２】
ウェブ・サーバ３は、検索エンジン２１と、検索エンジン２１で取得した情報（検索結果）を用いてユーザ端末１の表示部に表示する表示情報を作成する制御部２２を備える。また、本実施形態では、検索エンジン２１で取得した情報は、検索結果データ記憶部２３に格納され、制御部２２はその検索結果データ記憶部２３に格納された情報に対して所定の処理を実行し、表示情報を作成する。また制御部２２は、表示情報を作成する機能以外にも、検索・情報表示システムを稼働するための各種の機能を備える。
【００３３】
検索エンジン２１は、プログラムがインターネット網を巡回し、与えられた文字列で規定されるキーワードに関連するインターネット上で公開されている情報を検索するシステムである。この情報を検索する機能は、一般的なＷｅｂサイトを検索する公知の検索エンジンと同等のものを利用するとよい。
【００３４】
また、検索エンジン２１は、必ずしもウェブ・サーバ３が保有する必要は無く、例えば、検索対象となるＳＮＳサービスが提供するＡＰＩ（Application Program Interface）等を利用して検索を行うとよい。ブログについての検索は、所定のブログ検索ＡＰＩを用いる。このようにサービス提供者が提供するＡＰＩを利用することで、検索エンジンの開発に対する労力が不要となるだけでなく、新たに公開・開始されたサービスに対しても簡単・迅速に対応できるのでよい。
【００３５】
検索エンジン２１は、文字列を構成する文字にスペースが含まれているか否かを判断し、スペースがない場合には、その文字列全体を一つの単語とし検索処理を実行する。文字列を構成する文字にスペースが含まれている場合、そのスペースの前後で単語が区切られていると認識し、複数の単語からなるキーワードに基づいて検索処理を実行する。複数の単語が含まれている場合、検索エンジン２１は、設定された検索条件に従いａｎｄ検索或いはｏｒ検索を実行する。検索条件は、例えば、本システムのサービス提供者側が設定したもので固定としても良いし、ユーザが任意に設定できるようにしても良い。ユーザが設定する場合、例えばデフォルトとしてａｎｄ検索が設定される。
【００３６】
本実施形態では、検索エンジン２１は、複数のＳＮＳその他のソーシャルメディア、各種ネットサービスを対象サイトとし、その対象サイトに対して同時に検索を行い、キーワードに関連する情報を取得し、検索結果記憶部２３に格納する。対象サイトとなるＳＮＳその他のソーシャルメディア，ネットサービスは、例えば、Ｔｗｉｔｔｅｒ，Ｆａｃｅｂｏｏｋ，ｍｉｘｉ，Ｇｏｏｇｌｅ＋，ＬＩＮＥ，ブログ，ＹｏｕＴｕｂｅ（動画），Ｆｌｉｃｋｒ（画像）などがある。
【００３７】
検索エンジン２１は、検索して取得した情報を、例えば、ソーシャルメディア毎に分けて検索結果記憶部２３に格納する。検索エンジン２１は、取得したキーワードに基づき、定期的（例えば、１秒毎，１分ごと）に検索を繰り返し実行し、検索結果記憶部２３を更新する。この更新処理は、例えば、新たに取得したものを追加して格納するようにしても良いし、今回の検索処理によりキーワードに関係する情報として取得したものに一括して書き換えるようにしても良い。
【００３８】
制御部２２は、検索結果記憶部２３に格納された情報から、設定された条件に従って表示情報を作成し検索結果としてユーザ端末１に出力する。この設定された条件の一つを実行する機能として、検索結果並列表示機能がある。この検索結果並列表示機能は、対象サイトでの検索結果を時系列で並列して表示できる機能であり、それぞれのソーシャルメディアで発信された情報を、投稿が行われたタイムスタンプから投稿時間を判断し、ソーシャルメディア毎に時系列で結果を表示する。これによりマトリクス状に結果が表示されることとなり、他サービスでの結果とを同時に見比べて確認することが容易になる。
【００３９】
図５は、図２に示すトップページの検索窓１１に、キーワードとして「柔道」を入力した場合に、検索結果としてユーザ端末１の表示部に表示される一例を示している。トップページと同様に、上方中央にキーワードを入力するための検索窓１１を配置し、ページの左側にメニュー領域１２を固定配置する。さらに、中央には、検索結果としてソーシャルメディア毎に、複数の情報表示領域１８を配置する。各情報表示領域１８は、上端にソーシャルメディアに関する特定情報を表示し、その特定情報の下にそれぞれのソーシャルメディアの投稿を、時系列に並んで配置するレイアウトとなる。特定情報は、例えばソーシャルメディアの名称と、検出された投稿の数等である。特定情報の下に表示される投稿は、上に行くほど新しい投稿である。これにより、横軸がソーシャルメディア、縦軸が時間の二次元のマトリクスで表示する。
【００４０】
このように、投稿が行われたときのタイムスタンプに基づき最新のものほど上に表示するようにしたため、最新のつぶやきなどより旬な内容の投稿が上位に表示され、いわゆるＳＥＯ対策とは連動しない表示順となる。
【００４１】
また、最新の投稿の背景色を他の投稿の背景色と異なるようにした。すなわち、検索エンジン２１は、与えられたキーワードに基づいて定期的に検索を行い、検索結果記憶部２３を更新する。そこで、制御部２２は、係る更新にあわせて新たな表示情報を作成する。このとき、制御部２２は、前回の検索から今回の検索処理の間に投稿されたもの、すなわち、今回の更新により新たに追加された投稿を検出し、その投稿の背景色を異なる色で表示する。背景色は、例えば、ベースの色を白色とし、最新の投稿の背景色を黄色とする。このように色を変えることで、ユーザは、新たに追加された投稿を容易に認識することができる。よって、例えば、何かのキーワードに基づいて検索を行ったのち、そのままの状態で放置すると、検索エンジン２１は定期的に検索を実行し、ユーザ端末１の表示部に表示する検索結果を更新するが、このとき、ユーザは、背景色が変わった投稿に着目して見ることで簡単に最新の投稿内容を確認するとともに、以前見た投稿を繰り返し見ることを抑止できる。図５の例で、Ｔｗｉｔｔｅｒについての情報表示領域１８の上から３つまでの投稿が最新のものとして異なる背景色で表示される。
【００４２】
また、図５の例では、複数のソーシャルメディアとして、左から順に「Ｔｗｉｔｔｅｒ」，「ブログ」，「ＹｏｕＴｕｂｅ」，「Ｆｌｉｃｋｒ」，「Ｆａｃｅｂｏｏｋ」，「Ｇｏｏｇｌｅ＋」の６種類を並列に配置したレイアウトとしている。これは一例であり、表示する個数、並び順、表示するソーシャルメディアの種類は、例えば制御部２２がユーザ端末１の表示部に図９に示す機能設定画面を表示し、その機能設定画面を操作してユーザが任意に設定できるようにするとよい。具体的には機能設定画面の左中に用意された「検索結果表示サービス設定」でリスト表示された対象サイトの左に配置したチェック欄をクリックすることで、有効／無効を交互に切り替える。図９の例では、５つの項目のチェック印が「×」となっているため、それら５つのソーシャルメディアを表示する。また、図９では、合計６個としているが、実際にはもっと多くのソーシャルメディアが選択できるようにリストアップする。
【００４３】
情報表示領域１８内の各投稿の表示部分が、クリック等により選択されると、制御部２２は、選択された投稿を認識し、その投稿について詳細情報を表示する。具体的には、制御部２２は、情報表示領域１８等の検索結果表示ウインドウＷの上に重ねて詳細情報を記載した別ウインドウＷ１を表示する（図６参照）。このとき、別ウインドウＷ1がアクティブウインドウとし、検索結果表示ウインドウＷは薄く表示する。図６（ａ）は、Ｔｗｉｔｔｅｒの情報表示領域１８上の投稿が選択された場合の表示例を示し、図６（ｂ）は、ブログの情報表示領域１８上の投稿が選択された場合の表示例を示している。
【００４４】
図６（ａ）に示すように、Ｔｗｉｔｔｅｒの別ウインドウＷ１は、その下側領域に左から順にリツイートボタン，フォローボタン，投稿ボタンが設定される。制御部２２は、各ボタンがクリックされたことを認識すると、クリックされたボタンに対応する処理を実行する。これにより、ユーザは、自身が参加しているＳＮＳにシェアすることができる。またＴｗｉｔｔｅｒの別ウインドウＷ１の右上には［×］で示す消去ボタンが設定される。制御部２２は、この消去ボタンがクリックされたことを認識すると、別ウインドウＷ１を消去するとともに、検索結果表示ウインドウＷすなわち図５に示すウインドウをアクティブウインドウに切り換える。
【００４５】
図６（ｂ）に示すように、ブログの別ウインドウＷ１は、その下側領域に左から順にＴｗｉｔｔｅｒへの投稿ボタン，Ｆａｃｅｂｏｏｋへの書き込みボタンが設定される。制御部２２は、各ボタンがクリックされたことを認識すると、クリックされたボタンに対応する処理を実行する。これにより、ユーザは、自身が参加しているＳＮＳにシェアすることができる。ブログの別ウインドウＷ１の左上に表示されるタイトル（図の例では「柔道」）は、ハイパーリンクとなっており、制御部２２はこのタイトルの部分がクリックされたことを認識すると、ブログのオリジナルサイトを開く。またブログの別ウインドウＷ１の右上には［×］で示す消去ボタンが設定される。制御部２２は、この消去ボタンがクリックされたことを認識すると、別ウインドウＷ１を消去するとともに、検索結果表示ウインドウＷすなわち図５に示すウインドウをアクティブウインドウに切り換える。
【００４６】
図６（ａ），（ｂ）に示す別ウインドウＷ１に表示する詳細情報は、少なくとも内容部分の文章に対して形態素解析を用いて品詞分解している。そして、助詞・助動詞などのキーワードになりにくい品詞以外の各品詞は、アンカーが埋め込まれる。そして、品詞分解されたワードをクリックすると、そのクリックされたワードが検索エンジン21に送られて、当該ワードをキーワードとして検索が行われる。これにより、ユーザは、検索窓１１へキーワードを入力する処理が省ける。
【００４７】
さらに、図５に示すウインドウの左上には、この検索エンジン21による検索システムのサービス提供者のロゴ１７を表示している。このロゴ１７が表示されている領域は、トップページへのリンクが埋め込まれている。よって、制御部２２は、各ページにおいて、ロゴ１７の部分がクリックされたことを認識すると、図２に示すトップページを表示する。
【００４８】
また、図５に示すように、検索結果の表示レイアウトでも検索窓１１が用意され、検索に使用したキーワードも表示している。この検索窓１１に新たなキーワードを入力し、検索指示を与えると、制御部２２は、新たなキーワードに基づいて複数のＳＮＳその他のソーシャルメディアに対する横断検索を行い、検索結果をソーシャルメディア毎に時系列に並べて表示する。
【００４９】
図５に示す例では、横軸に沿って各ソーシャルメディアを並べ、縦軸に沿って各投稿を時間順に並べるようにしたが、縦軸と横軸は逆の配置としても良い。これは以下に示す各機能においても同じである。
【００５０】
［検索結果間引き表示機能］
さらに、制御部２２は、検索結果間引き表示機能を備えている。この検索結果間引き表示機能は、同じ内容の投稿を繰り返し表示しないよう、検索結果の内容を解析し、同一と判断できる投稿は繰り返し表示しない機能である。具体的には、制御部２２は、検索結果の内容を解析し、前方一致、部分一致などの照合方法により一定の文字数が同一であったら、同一の投稿内容と判断し、結果として表示する際に間引いて表示する。
【００５１】
特に、ＴｗｉｔｔｅｒなどのＳＮＳの場合、リツイートなどにより他の投稿の内容をそのまま自己の投稿として配信することが行われるとともに、投稿する内容の文字数も制限されている。したがって、上記の前方一致や部分一致などの照合方法によって効率よく、かつ、適切に同じ内容の投稿を間引くことができる。これにより、ユーザは、同じ内容の文面を繰り返し読まなくてすむ。また、同一画面中に表示される実質的な投稿の数が増え、ユーザは、一度に多くの情報を確認できる。
【００５２】
この検索結果間引き表示機能は、図９に示す機能設定画面を用いて有効／無効設定ができる。すなわち、機能設定画面の右上に用意されたオプション機能で「ＲＴまとめ機能」の左に配置したチェック欄をクリックすることで、有効／無効を交互に切り替える。図では、チェック印の「×」が有るため有効である。例えば、後述するユーザ投稿内容引用状況把握機能等を実施し、拡散した他の投稿を表示する場合には、この「ＲＴまとめ機能」は無効にする。
【００５３】
［トップページの領域の説明（その２）］
図２に戻り、トップページのさらに別の領域について説明する。メニュー領域１２は、上から順にタイトル項目の「メディア」、その「メディア」のグループに属する選択項目の「テレビ」，「ラジオ」，「新聞」，「雑誌」、タイトル項目の「ピクトピ」、その「ピクトピ」のグループに属する選択項目の「エンタメ」，「スポーツ」，「文化芸術」，「ネット」……「ホビー」、インデックス項目としての「１２星座」，「お天気」，「Ｔｗｉｔｔｅｒ」，「Ｆａｃｅｂｏｏｋ」等を配置する。タイトル項目がクリック（例えば、「ポインティングデバイスによる操作や画面へのタッチ等」、以下同じ）されるごとに、グループに属する選択項目をリスト表示する開状態と、選択項目を非表示にする閉状態とを交互に切り替える。選択項目，インデックス項目は、それぞれアンカーテキストであり、ハイパーリンクが組み込まれている。
【００５４】
インデックス表示領域１３は、「ピクトピインデックス」，「１２星座インデックス」，「お天気インデックス」の３つを用意している。「ピクトピインデックス」は、ウェブ・サーバ３の管理者、すなわち、この検索システムのサービス提供者が選んだＳＮＳでの話題のトピックスを表示する領域である。
【００５５】
すなわち、世の中で話題となっているニュースを取り上げ、それらに対してＳＮＳ上でどのように話題となっているかを表示する。インデックス表示領域１３は、その上側にメニュー領域における選択項目と同じ項目を用意している。制御部２２は、この「ピクトピインデックス」の表示領域内の項目がクリックされるのを認識すると、その項目についてのＳＮＳで話題となっている投稿を検索し、インデックス表示領域１３内に表示する。未選択の場合には、デフォルトとして予め設定された項目（例えば「エンタメ」）についての話題となっている投稿を表示する。
【００５６】
図２では、４つの投稿を表示した例を示している。なお、「エンタメ」は、エンターテイメントについてのトピックスを表示するための項目である。この状態から、別の項目、例えば「スポーツ」がクリックされると、制御部２２は、スポーツについてＳＮＳ上で話題となっている投稿を検出し、インデックス表示領域１３内に表示する。
【００５７】
また、図２に示すように、制御部２２は、検索した投稿を表示するに際し、インデックス表示領域１３の左側の領域に表示し、右側の領域には選択された投稿に対するコメントを表示する。選択された投稿は、デフォルトは一番上に表示した投稿である。制御部２２は、別の投稿の表示部分がクリックされたことを認識すると、そのクリックされた投稿についてのコメントを右側の領域に表示する。現在選択された投稿は、背景色を異なる色で表示する。
【００５８】
図７（ａ）は、ピクトピインデックスについてのインデックス表示領域１３の別のレイアウトを示している。この例では、項目をインデックス表示領域１３の左端に、上下に並ぶように表示するとともに、選択された項目や投稿等を枠で囲むようにしている。項目を左端に配置することで、メニュー領域１２をウインドウ１０の左側に固定配置するのと同じレイアウトとなり、デザインの統一性が現れ、ユーザがわかりやすくなる。このように、表示レイアウトは一例であり、各種の変更実施が可能である。このことは他の領域等においても同様である。また、図７（ａ）では、項目は「スポーツ」が選択された例を示している。
【００５９】
また、図７（ａ）において、領域の下方に用意されたハイパーリンクの「他のトピックスを見る」がクリックされた場合、制御部２２は、現在選択されている項目である「スポーツ」についてのＳＮＳで投稿されているトピックスを検索し、図７（ｂ）に示すようにウインドウ１０の全体の領域を使って検索したトピックスの投稿を表示する。
【００６０】
制御部２２は、この図７（ｂ）に表示された各投稿のタイトルがクリックされたことを認識すると、そのタイトルをキーワードとして上述した複数のＳＮＳその他のソーシャルメディアに対する横断検索を行い、検索結果をソーシャルメディア毎に時系列に並べて表示する（図７（ｃ）参照）。図７（ｃ）に示す検索結果に示すように、この例では、複数の単語をキーワードとしている。すなわち、制御部２２は、選択された投稿のタイトルに対して、形態素解析をして品詞分解をし、名詞を抽出し、抽出した一または複数の名詞をキーワードとして使用する。
【００６１】
また、メニュー領域１２にリストアップされた「ピクトピ」のグループに属する選択項目がクリックされた場合、制御部２２は、クリックされた選択項目についてのＳＮＳで投稿されているトピックスを検索し、図７（ｂ）に示すようにウインドウ１０の全体の領域を使って検索したトピックスの投稿を表示する。
【００６２】
一方、「１２星座インデックス」，「お天気インデックス」のインデックス表示領域は、図２に示すように、それぞれ所定の文言からなる項目がリストアップされて表示する。このインデックス表示領域に表示された項目が選択されると、制御部２２は、その項目をキーワードとして上述した複数のＳＮＳその他のソーシャルメディアに対する横断検索を行い、検索結果をソーシャルメディア毎に時系列に並べて表示する。具体的な図示は省略するが、例えば、「１２星座インデックス」において、「牡牛座」が選択されると、制御部２２は、「占い 牡牛座」をキーワードとして検索を行う。つまり「占い」と「選択した項目」の２つの単語をキーワードとして用いる。また、「お天気インデックス」において、「台風」が選択されると、制御部２２は、「天気 台風」をキーワードとして検索を行う。つまり「天気」と「選択した項目」の２つの単語をキーワードとして用いる。
【００６３】
図２に示すように、記念日表示領域１５は、本日に関する情報を表示する領域である。制御部２２は、内部時計等から本日の月日を認識し、所定のデータベースにアクセスして本日の記念日と六曜と、本日が誕生日の有名人を取得し、記念日表示領域１５に表示する。所定のデータベースは、メディアデータベース４のように予め本システムの管理者等が作成したものを用いても良いし、インターネット上に存在するそれらの情報を公開しているサイトを利用しても良い。
【００６４】
急上昇ワード表示領域１６は、ＳＮＳや検索サイトの急上昇ワードを表示する領域である。制御部２２は、ＳＮＳにおける投稿（タイトル・本文）において急増したワードや、検索サイトにおいて検索数が急増したキーワードを取得し、サイト毎に分けて表示する。
【００６５】
これらの記念日表示領域１５や、急上昇ワード表示領域１６に表示されたワードがクリックされた場合、制御部２２は、そのクリックされたワードをキーワードとして上述した複数のＳＮＳその他のソーシャルメディアに対する横断検索を行い、検索結果をソーシャルメディア毎に時系列に並べて表示する。
【００６６】
これらの機能を用いることで、ユーザは、検索窓１１に直接キーワードを入力することなく上述した横断検索処理を行うことができる。そして、この検索は、この検索システムの運用者側が作成した各ニュース記事に対するＳＮＳ等での評判をＳＮＳ毎に分類表示することができる。つまり、ユーザは、検索時には実際にＳＮＳその他のソーシャルメディアで話題になっていることを知らなくても、興味のある分野を指定することで、検索のために適するキーワードを見付けることができ、それに追従して話題となっているそれぞれの投稿内容を知ることができる。
【００６７】
また、図２〜４等に示すように、トップページのすべては表示部（ウインドウ）に一度に表示されず、表示部の外にはみ出る部分が生じる。たとえば図２の例では、１２星座のインデックス表示領域１３や、お天気のインデックス表示領域１３の全部はウインドウ１０の外に位置する。図３，図４の例ではさらに外にはみ出る領域が増える。例えば１２星座のインデックス表示領域１３のように外にはみ出た領域を使用したい場合、所定の操作により画面を上下にスクロールして表示することになる。しかし、このスクロール操作は煩雑である。
【００６８】
そこで本実施形態では、メニュー領域１２中のインデックス項目としての「１２星座」，「お天気」をクリックしたことを制御部２２が検知すると、対応するインデックス表示領域１３を画面内に位置するように制御する。
【００６９】
［メディア別表示機能］
制御部２２は、メニュー領域１２中の「メディア」のグループに属する選択項目の「テレビ」，「ラジオ」，「新聞」，「雑誌」のいずれかがクリックされたことを検知すると、クリックされた選択項目のメディアについて、ソーシャルメディアにおいてつぶやかれている内容，投稿されている内容を抽出し、グループ毎に時間順に表示する。メディアのグループは、例えばメディアがテレビの場合にはＮＨＫ綜合、ＮＨＫＥテレ、日本テレビ等の各テレビ局となり、「ラジオ」の場合にはＮＨＫＦＭ，Ｊ−ＷＡＶＥ等の各ラジオ局となる。ＦＭ放送局に限ることはなくＡＭ放送局でのグループ分けも良い。また、メディアが「新聞」の場合には、「朝日新聞」，「読売新聞」，「毎日新聞」等の新聞名となる。例示は省略するが、メディアが「雑誌」の場合も各種の雑誌名毎にグループ化される。
【００７０】
制御部２２は、クリックされた選択項目についての検索要求（上記のクリック）を受けると、メディアデータベース４にアクセスし、検索要求を受けた選択項目のメディアを特定するメディア特定情報を取得し、取得したメディア特定情報を用いて検索エンジン２１にて関連する情報（投稿等）を検索する。また、本実施形態では、一例として検索対象サイトは、ＳＮＳの一つであるＴｗｉｔｔｅｒと、ブログとＹｏｕＴｕｂｅの３つとした。したがって、例えば検索対象サイトがＴｗｉｔｔｅｒの場合、メディア特定情報として各テレビ局に設定されているハッシュタグやキーワード等を取得し、同じハッシュタグやキーワードでつぶやいているツイートを検索し、検索結果記憶部２３に格納する。制御部２２は、ハッシュタグやキーワードに基づき検索結果記憶部２３に格納されたツイートをテレビ局毎に振り分けてグループ化するとともに、タイムスタンプに基づき時系列に並ばせ、最新のものほど上に位置するように表示する。
【００７１】
図８は、図２に示すトップページで、メニュー領域１２中の選択項目のうち「テレビ」がクリックされた場合に、検索結果としてユーザ端末１の表示部に表示される一例を示している。トップページと同様に、上方中央にキーワードを入力するための検索窓１１を配置し、ページの左側にメニュー領域１２を固定配置する。さらに、中央の検索結果の表示エリアには、その上方に検索条件等を特定するための情報（選択項目（図では「テレビ」と検索サイト（図では、「Ｔｗｉｔｔｅｒ」）を表示し、その横に広告表示領域１４を配置する。そして、それらの下側の大部分のエリアに、検索結果としてテレビ局毎に、情報表示領域１８を配置する。各情報表示領域１８は、上端にテレビ局に関する特定情報を表示し、その特定情報の下にそれぞれのテレビ局についてつぶやかれたＴｗｉｔｔｅｒのツイート・投稿を、時系列に並んで配置するレイアウトとなる。特定情報は、例えば、テレビ局名とハッシュタグと現在放送中の番組情報である。番組情報は、例えば番組名とその番組の放送時間である。番組名は、外部サイトへのハイパーリングとなっており、その番組名をクリックすると、例えばテレビの番組表のサイトに飛ぶようにする。さらに、検出されたツイートの数も表示する。
【００７２】
特定情報の下に表示される投稿は、上に行くほど新しいツイートである。これにより、横軸がテレビ局、縦軸が時間の二次元のマトリクスで表示する。また、本実施形態では、各情報表示領域１８に表示される一連のツイートの下側に広告表示欄１４を設けている。そのため、図８（ａ）では、「ＮＨＫＥテレ」についてつぶやいているツイートが検索されなかったため、情報表示領域１８の先頭に広告表示欄１４が表示されている。
【００７３】
また、「テレビ局に関する特定情報」の横に、他の検索対象サイトの検索要求ボタン１９が配置される。本実施形態では、一例としてメディアの種類に基づく検索の検索対象サイトは、ＴｗｉｔｔｅｒとブログとＹｏｕＴｕｂｅの３種類としたため、「ブログ」と「ＹｏｕＴｕｂｅ」の検索要求ボタン１９を配置した。そして、図８（ａ）の表示画面から例えば「ブログ」の検索要求ボタン１９がクリックされると、そのことがウェブ・サイト３に送られる。
【００７４】
ウェブ・サイト３は、係る検索要求を受け付けると、検索エンジン２１を用いて例えばテレビ局名などをキーワードとして各テレビ局について投稿されているブログを検索し、検索結果記憶部２３に格納する。そして、制御部２２は、検索結果に基づき検索結果記憶部２３に格納された投稿をテレビ局毎に振り分けてグループ化するとともに、タイムスタンプに基づき時系列に並ばせ、最新のものほど上に位置するように表示する。これにより、例えば図８（ｂ）に示すような検索結果の情報を表示する。この表示例は、ブログについての投稿であるため、検索要求ボタン１９も「Ｔｗｉｔｔｅｒ」と「ＹｏｕＴｕｂｅ」に変わっている。
【００７５】
また、本実施形態では、一例として、検索対象サイトとして３種類とし、最初に表示するのはＴｗｉｔｔｅｒでのつぶやきとした。そこで、実際の検索処理は、表示するＴｗｉｔｔｅｒに対してのみ行い、他の検索サイトについては実際に検索要求ボタン１９のクリックにより検索要求を受け付けた場合に対応する検索対象サイトに対して行うようにした。これは、無駄な検索処理を行わないことで、検索エンジンに対する負荷の軽減を図っている。表示の有無にかかわらず、３種類の検索対象サイトに対して検索処理を実行するようにしてもよい。また、検索対象サイトは、３種類に限ることはなく、例えばＴｗｉｔｔｅｒのみのように１種類でも良いし、２種類或いは４種類以上でも良い。さらに、検索対象サイトもユーザにより指定できるようにすると良い。
【００７６】
また、テレビ局毎に分けて表示することで、各テレビ局に対する注目の度合いが一目で分かる。特に検出対象サイトとしてＴｗｉｔｔｅｒを選択した場合、Ｔｗｉｔｔｅｒの使用方法として現在テレビを見ながら、その内容についてつぶやくことが多い。したがって、ハッシュタグがテレビ局となっていても、現在放送中の番組についてのつぶやきである可能性が高い。よって、Ｔｗｉｔｔｅｒをテレビ局毎に分けて情報表示領域１８に表示することは、放送している番組についての注目の度合いが一目で分かるとも言える。そのため、図８に示すように、現在放送中の番組名も併記して表示することで、ユーザは、各番組についてのツイートの多少や、その内容を容易に対比し理解することができる。また、並列して表示できることで、各局で取り上げている内容、それらの評判に対して横断的に把握が可能となる。
【００７７】
また、図８の絞り込み機能設定２０の絞込み検索を選択すると、メディア並列表示を維持したまま、入力キーワードにて絞り込み検索表示をすることができる。
【００７８】
この情報表示領域１８の上に表示された各ツイートや投稿等の内容がクリックされたことを制御部２２が認識すると、図５，図６で説明したものと同様に、詳細情報を別ウインドウで表示し、オリジナルサイトを開く処理を実行する。
【００７９】
また、表示するテレビ局は、デフォルトとして全国放送する視聴可能なテレビ局としたが、ユーザがカスタマイズできるようにすると良い。さらに表示順もユーザが変更可能とするとよい。
【００８０】
上述した例では、選択項目の「テレビ」が選択された場合を説明したが、「ラジオ」，「新聞」，「雑誌」が選択された場合も同様に行う。さらに、メディアは、国内に留まることはなく、国外のメディア（例えばＡＢＣ、ＢＢＣなど）にも対応するとよい。
制御部２２は、上述した機能に限ることはなく、以下に示す各種の機能を備える。そして各機能は、独立して或いは他の機能と協働して動作する。
【００８１】
［メディア＆対象サイト組み合わせ検索機能］
メディア＆対象サイト組み合わせ検索機能は、テレビ局名、ラジオ局名、雑誌名、新聞名といったメディアと、サイトを自由に組み合わせて検索結果を表示できる機能である。上述したメディア別表示機能は、横軸に選択されたテレビ局、縦軸に各テレビ局についての同一の検索サイト（例えばＴｗｉｔｔｅｒ）で発信された情報を時系列で表示するようにした。これに対し、本機能は、例えばＮＨＫ綜合に対してはＴｗｉｔｔｅｒ、フジテレビに対してはブログというように任意の組み合わせで検索を行い、検索結果を時系列で表示する。この設定は、例えば図９に示す機能設定画面を用いて行う。すなわち、機能設定画面の右中に用意された「メディアパレット設定」の「メディア」の領域がクリックされたことを認識した制御部２２は、プルダウン方式のメニューリストを表示する。そのメニューリストには、対応可能なメディアの名称が記載されており、クリックされたものを仮選択する。同様に制御部２２は、「サイト」の領域がクリックされたことを認識した制御部２２は、プルダウン方式のメニューリストを表示する。そのメニューリストには、検索対象サイトの名称が記載されており、クリックされたものを仮選択する。その状態で、左に配置したチェック欄がクリックされると、その時の組み合わせで確定する。
【００８２】
上記の例示の場合、ＮＨＫ綜合については、所定のハッシュタグに基づき検索エンジン２１で検索、例えば、Ｔｗｉｔｔｅｒの検索ＡＰＩに問い合わせることでＮＨＫ綜合についてのツイートを取得する。また、フジテレビを特定するキーワードを用いて検索エンジン２１で検索、例えばブログ検索ＡＰＩに問い合わせることでフジテレビについて投稿したブログを取得する。そして、制御部２２は、ＮＨＫ綜合についての情報表示領域１８には、ツイートが時系列で並んだ状態で表示し、フジテレビについての情報表示領域１８には、ブログが時系列で並んだ状態で表示する。
【００８３】
このメディアとＳＮＳの組み合わせは、例えば固定された１つとしてもよいし、予め用意されたものからユーザが選択するようにしても良い。さらには、ユーザ自身が任意に指定するようにするとよい。
【００８４】
［ユーザ投稿内容自動検索機能］
ユーザ投稿内容自動検索機能は、ユーザ自身によって連携されたＳＮＳ上のユーザの書き込み内容をもとに、自動的に検索を行う機能である。当サービスに対してユーザのＳＮＳについて連携を許可することで利用できるサービスである。本検索・情報表示システムに、ユーザ自身のＳＮＳアカウントを事前に登録しておく。制御部２２は、ユーザ端末１から送られたユーザＳＮＳ等のユーザ情報を、ユーザ情報データベース６に格納する。
【００８５】
制御部２２は、ユーザ自身のＳＮＳアカウントを検索エンジン２１に渡して検索を行い、ユーザ自身のＳＮＳで発信したツイート等の内容を取得し、ユーザがＳＮＳアカウントを連携した時点から当サービス内にアーカイブを格納する。このアーカイブに格納された情報は、検索対象となる。自身の投稿内容のみを検索対象とすることが出来るため、過去の同時期の自身の活動内容などを見ることが出来る。
【００８６】
［ユーザ投稿内容引用状況把握機能］
ユーザ投稿内容引用状況把握機能は、ユーザ自身の投稿内容が引用された数、引用したユーザを解析することでその投稿の波及効果を把握できる機能である。上記のユーザ投稿内容自動検索機能と同様に、当サービスに対して連携を許可することで利用できるサービスである。ユーザ自身のＳＮＳで発信した投稿記事が、同じＳＮＳ或いは別のＳＮＳに対してどの程度広まったかを確認することができる。
【００８７】
具体的には、測定対象がＴｗｉｔｔｅｒやＦａｃｅｂｏｏｋでかつ同じＳＮＳ内であれば、各サービスが提供するＡＰＩを用いることで波及効果を確認する。例えば、制御部２２は、アーカイブに登録されたユーザの各記事について、Ｔｗｉｔｔｅｒであればリツイート数、Ｆａｃｅｂｏｏｋであれば「シェア数」や「いいね数」を確認し、それらを波及効果の測定数字とする。数字値が大きいほど広まり度合いが高い。
【００８８】
また、その他のＳＮＳサービスについては、同じＳＮＳか別のＳＮＳかにかかわらず、タイトルやＵＲＬを検索対象とする。また、波及効果の履歴を取得しておくことで各記事の盛り上がりの遷移を確認することができる。
【００８９】
また、制御部２２は、登録されたユーザのツイートの本文の前方から所定文字数の文字列を抽出し、抽出した文字列と前方一致するツイートや同じ文字列を含むツイート・ブログ等を検索し、一致するものを表示する機能を備えると良い。
【００９０】
このユーザ投稿内容引用状況把握処理は、例えば、ユーザ自身のＳＮＳで発信した投稿記事を本サービスのアーカイブに登録しておき、ユーザが本ウェブ・サイトにアクセスした際に、最新の投稿記事や予めユーザが指定していた一または複数の投稿記事に対して行うとよい。このようにすると、ユーザは、本ウェブ・サーバ３にアクセスする都度、特別な処理をすることなく自動的に自己の投稿記事についての拡散状況等を把握できるので好ましい。また、このように自動的に検索し引用状況把握処理を行うのでは無く、ウェブ・サーバ３に接続中に、所定のメニュー画面から指定した投稿記事について状況把握処理を実行するようにしても良い。
【００９１】
［連携サービス内検索機能］
連携サービス内検索機能は、ユーザが連携したサービス内で、ユーザ自身が設定した検索可能範囲を対象に検索を行う機能である。ユーザが本サービスに対して公開を許可してくれたＳＮＳサービス内を検索対象とし、検索を実施する。ユーザがパーミッションを与えてくれることが前提である。これにより例えばユーザの友人が投稿した内容に対して検索をかけることが可能となる。
【００９２】
［ＳＮＳサービス組み込み機能］
ＳＮＳサービス組み込み機能は、ユーザが連携したサービスのタイムラインなどの要素を、選択して組み込める機能である。ユーザが連携を許可してくれたＳＮＳサービスのタイムラインや、通知情報を本サービスに取り込んで並列して表示する。ＦａｃｅｂｏｏｋのタイムラインとＴｗｉｔｔｅｒのタイムライン等を並列して表示したりする。
【００９３】
［検索ワード登録機能］
検索ワード登録機能は、検索・情報表示システムに、ユーザが、よく使う検索ワードを登録しておける機能である。ユーザは、ユーザ端末１に表示される登録画面を使用し、登録したいよく使う検索ワードを入力する。具体的には、図９に示す機能設定画面の中央に用意された「基本パレット設定」のうちのｍｙワードの登録ボックスに、登録する検索ワードを入力し、登録する。登録された検索ワードは、登録ボックスの上方にリスト表示される。リスト表示された登録済みの検索ワードは、右に配置された削除ボタンをクリックすることで登録を解除できる。制御部２２は、取得したよく使う検索ワードをそのユーザのユーザ情報データベース６に登録する。
【００９４】
制御部２２は、例えばトップページの所定位置や、ユーザからの指示に従い登録された「よく使う検索ワード」をリスト表示する。ユーザは、表示された「よく使う検索ワード」をクリックする。すると、制御部２２は、クリックされた「よく使う検索ワード」をキーワードとして検索し、検索結果を表示する。検索窓１１にキーワードを入力する手間が省け、効率よく検索が行える。例えば、特定の商品名、名前などを登録しておくことができ、かつその話題についての評判を継続的に蓄積し解析結果を表示する。
【００９５】
また、制御部２２は、登録された「よく使う検索ワード」について定期的に検索を行い、履歴情報として登録しておく。これにより、検索推移も解析できる。
【００９６】
［投稿内容印象解析機能］
投稿内容印象解析機能は、独自の言語辞書との照合により、ポジティブな書き込み、ネガティブな書き込みであるかどうかを判別する機能である。好意的な場合に使用する語句を登録したポジティブ用語データベースと、非好意的（悪意）な場合に使用する語句を登録したネガティブ用語データベースを用意する。
【００９７】
制御部２２は、上記の各種の機能により検出されたツイートやブログなどのＳＮＳの本文を形態素解析して品詞分解をして、単語を取り出す。制御部２２は、取り出した単語を上記の２つのデータベースと比較し、ポジティブ用語／ネガティブ用語／その他の用語にわける。制御部２２は、各用語に該当する数を表示する。
【００９８】
これにより、ユーザは全体的な傾向を求めることができる。例えばメディア別であれば、その時の番組が好意的なのか否かが分かる。ＳＮＳ別であればキーワードについてどちらの傾向が強いかが分かる。さらに、履歴を蓄積しておくことで、時間に応じた遷移を見ることができる。例えば、「徐々にポジティブ用語が増えてきている」，「ある時点において急激にネガティブ用語が増えてきている」などが分かる。
【００９９】
さらにこの履歴に基づき、例えば好感度の推移グラフを表示すると良い。好感度の推移グラフは、ポジティブ用語に該当する数が多いほど好感度が高いとして好感度を数値化することで作成する。また、ネガティブ用語の該当する数から嫌悪感の程度・不人気度を数値化し、グラフとして表示しても良い。
【０１００】
判定元のデータにＳＮＳを利用しているため、ポジティブ用語データベースやネガティブ用語データベースとして、ネットスラングや顔文字が盛り込まれているデータベースを利用するとよい。この場合に、ユーザは、ネットスラングデータベースを利用するかしないかを設定画面から選択することができるようにすると良い。
【０１０１】
［ＢＯＴ投稿排除機能］
ＢＯＴ投稿排除機能は、ＢＯＴと言われる自動的に機械的につぶやくプログラムによる投稿・ツイート等を排除する機能である。ＢＯＴと言われる自動的に機械的につぶやくプログラムでの投稿は、無関係なハッシュタグを含んでつぶやくことが多く、検索結果として表示した際に無視できないノイズとなる場合がある。そこで制御部２２は、アカウント名にＢＯＴという文字列が付いている場合、アカウント名がＢＯＴデータベースにＢＯＴアカウントとして登録されている場合、ＢＯＴと判断する。検索結果を表示する際にＢＯＴであると判断された投稿はフィルタリングを行い、検索結果として表示しないようにする。ＢＯＴデータベースは、人的判断によりＢＯＴアカウントであると判断したものをブラックリスト化して登録する。これにより、検索結果の精度向上が図れる。
【０１０２】
［アカウント名検索フィルタリング機能］
アカウント名検索フィルタリング機能は、アカウント名に検索語が含まれる場合、投稿内容に関わらず検索結果として出てしまうため、それを排除する機能である。例えば、キーワードとして「ｇａｌａｘｙ」で検索すると、アカウント名が「＠ｇａｌａｘｙ」のツイートは、ツイートの内容に関係なくすべて検索結果として表示されることになる。検索ワードがアカウント名に含まれることを想定し、検索を行う対象は本文に相当するデータのみとする。
【０１０３】
［時間別結果数推移表示機能］
時間別結果数推移表示機能は、検索結果密度の時間ごとの推移を表現する機能である。検索結果として得られる情報をサーバ内に蓄積し、制御部２２は、その結果を解析することで時間別の推移を表現する。
【０１０４】
［投稿位置連動機能］
投稿位置連動機能は、投稿された投稿者の公開位置情報を解析し、位置情報と共に表示する機能である。投稿者の位置情報をユーザプロファイリングの結果より解析し、その情報を反映して検索結果を表示する。例えば、制御部２２は、キーワード検索により抽出された投稿が、どの地域・場所で配信されたかを特定する。そして、地図を表示するとともに地図上の上記の特定した地域・場所に投稿があったことを分かるように表示する。
【０１０５】
［検索結果密度表現機能］
検索結果密度表現機能は、検索結果密度（単位時間内における検索結果数）を色、大きさなどでグラフィカルに表現する機能である。例えば、検索エンジン２１による検索結果を表示する際、設定された単位時間あたりでの投稿件数（密度）を色や大きさに置き換えて表示する。例えば赤色が高密度、青色が低密度などとする。また、使用する色の区別は、二色にしてもよいし、多色にすることで変化が分かるようにしても良い。また投稿者の地図上での位置や、２次元で表現できる情報（番組表など）に対して、重ねて表示も行うことで、３次元による情報提供が簡単に行える。
【０１０６】
例えば図１０は、番組表に重ねた表示を行った例である。例えば上述したメディア別の検索で、テレビ局毎に投稿されたＳＮＳサイトの検出を継続して行い、タイムスタンプに基づいて単位時間当たり投稿件数を求める。例えば閾値を複数設定し、複数のレベル分けを行い、各レベルに対応する色の丸を番組表の対応する時間帯の上に重ねて表示する。例えば赤色→黄色→緑→水色→青色のように色分けをし、赤色が最も投稿件数が多いレベルに対応する。ユーザは、色からどの番組についての投稿が多いか、すなわち、注目を浴びていたかが一目で分かる。図１０の例では、色で区別したが、丸の大きさを変えるようにしても良い。
【０１０７】
いずれの場合も、横軸がテレビ局で縦軸が時間（番組）という二次元の表示に対し、色の区別による投稿の度合いが変わるので、例えば同一時間帯の番組間での注目の多少や、同一テレビ局での時間軸での注目の多少を一目で比較できる。
【０１０８】
本機能は、上記の時間別結果数推移表示機能や投稿位置連動機能の結果表示をするのに利用するとよい。例えば時間別結果数推移表示機能は、上述した通りである。また投稿位置連動機能は、例えば単位時間で発信された投稿件数を地域毎に分けて計数し、投稿件数（密度）を色や大きさに置き換えて対応する地図の上に重ねて表示する。
【０１０９】
［投稿者性別判定機能］
投稿者性別判定機能は、投稿者の性別を解析し、分類して表示する機能である。制御部２２は、投稿者の性別情報をユーザプロファイリングの結果より解析し、その情報を反映して検索結果を表示する。
【０１１０】
例えば、上述した各機能により検索した結果を表示する際に、デフォルトでは性別の区別を付けることなくマトリクス等所定の表示形式で表示するが、ユーザからの指定により男性の情報，女性の情報というように分けて表示、或いはいずれか一方の情報のみを表示する。
【０１１１】
［投稿者年代判定機能］
投稿者年代判定機能は、投稿者の年代を解析し、分類して表示する機能である。制御部２２は、投稿者の生年月日情報をユーザプロファイリングの結果より解析し、その情報を反映して検索結果を表示する。
【０１１２】
例えば、上述した各機能により検索した結果を表示する際に、デフォルトは年代の区別を付けることなくすべての情報についてマトリクス等所定の表示形式で表示するが、ユーザからの指定により年代別、或いは所定の年代の情報のみを表示する。
【０１１３】
［メディア別投稿表示機能］
メディア別投稿表示機能は、テレビ局、ラジオ局、新聞、雑誌について各局、各紙（各誌）ごとに、対象となる投稿内容を分類し表示する機能である。例えば日本テレビで、「政治」というワードが何回投稿されているかを検索可能となる。これは例えば上述したメディア別表示機能による検索結果を一次結果とし、制御部２２は、それに対してさらに絞り込みをかけることで二次検索結果を得、表示する。
【０１１４】
［番組中での頻出語解析機能］
番組中での頻出語解析機能は、テレビ番組やラジオ番組の放送中に、多く投稿されたワード（頻出語）を解析する機能である。制御部２２は、各番組に関する投稿内容を形態素解析を用いて品詞分解し、頻出単語を抽出する。抽出された単語から各番組のＳＮＳ上での評価の概要を推し量ることができる。対象とする品詞として助詞・助動詞などの表現に用いられない品詞は除外する。
【０１１５】
リアルタイム性の強い投稿については、ハッシュタグをもとに番組の開始時間から終了時間の間に投稿された記事を対象とする。アーカイブ性の強い投稿については時間を区切らず検索対象とし、番組名等を検索キーワードとする。ドラマであれば「かっこいい」、バラエティであれば「笑える」など。ニュースであれば「増税」「解散」などを抽出し、その頻度を求めることで番組等に対する評価が行える。
【０１１６】
［見てますボタン機能］
見てますボタン機能は、メディア（テレビやネットでのストリーミング配信、雑誌など）を選択してボタンをクリックすることで、メディア・番組名等を含むハッシュタグ付きのツイート、投稿をする機能である。メディア・番組名ごとに、「見てます」ボタンを設置し、そのボタンをクリックすることで、ユーザが連携しているＳＮＳサービスに対して「ハッシュタグ等のメディア識別子」と「○○を見てます」とを含む情報が、自動的に投稿される。
【０１１７】
投稿はメディアごとの検索結果にフィードバックされるので、ユーザは見てますボタンを使うことでネット上の「注目度指標（視聴率のようなもの）」へ自発的に参加することができる。
【０１１８】
［話題予測機能］
話題予測機能は、ユーザの投稿内容やアンケートなどで、今後の行動予測を行い、話題となりそうなトピック、視聴数が多そうな番組などをレコメンドする機能である。将来の行動が予測されるワードでの解析と、過去の蓄積データの解析の双方のデータを合わせて解析を行い、結果を表示する。具体的には、ユーザによる「○○観たい」「○○予約した」などのワードを解析し、どの番組・トピックの期待度が高いかを判断する。
【０１１９】
［番組オススメ機能］
番組オススメ機能は、テレビ、ラジオの番組表、雑誌の次号予告など未来に関する情報と、ユーザの嗜好を分析し、オススメを行う機能である。
【０１２０】
番組表情報と個人の嗜好情報をマッチングし、キーワードの一致があった場合に、そのユーザがウェブ・サーバ３にアクセスしたタイミングでオススメの番組、雑誌等として画面に表示を行う。例えば「まもなく○○さんが出演するラジオ（テレビ）の放送が始まります」や、「今、○○さんが出演している番組が放送されています。」といったメッセージを表示するとよい。この表示は、トップページ内に設定した表示領域に行っても良いし、別ウインドウで行っても良い。さらに制御部２２は、放送開始時刻には画面上にアラートとして通知を行い、視聴行為に誘導する。ラジオの場合はｒａｄｉｋｏ等にリンクするとよい。
これによりそのユーザがお気に入りのタレントが出演する番組等があった場合に、その放送が行われるタイミングでユーザに通知を行う等、ユーザに有益な情報を提供する。
【０１２１】
［ニュース表示・分析機能］
ニュース表示・分析機能は、本サービスの編集部が作成するジャンル別のニュースに対する評判を解析し表示する機能である。
例えば選択したメディアが取材編集した世間の話題とともに、それに対するＳＮＳでの反応を並列で表示を行う。取材記事には特定の検索ワードを設定し、それに対しての検索結果を取得し、表示を行う。
【０１２２】
［組み合わせ表示機能］
組み合わせ表示機能は、例えば「検索結果並列表示」×「検索結果密度表現」×「時間推移表現」×「投稿位置連動」×「投稿者性別判定」×「投稿者年代判定」×「投稿内容印象解析」など、多次元での結果表示方法をユーザが自由に組み合わせることができる機能である。これにより例えば「東京に住む３０代の男性が多く投稿しているワード」などの分析も可能となる。これは、上述した各表示機能をユーザ自身が組み合わせて利用することで実現する。
【０１２３】
上述した実施形態の各機能を適宜組み合わせることで、ＳＮＳ・ソーシャルメディア上にユーザによって投稿される膨大な情報を解析し、ＳＮＳサービスごとに時系列での表示、内容の印象の解析、投稿者の属性を解析した結果などの複数要素を組み合わせてマトリクス状に表示しつつ、世の中で注目されているトピック情報を取材編集した記事を同一画面内に表示することができる。
【０１２４】
［投稿時間を利用した検索］
検索条件の１つとして、投稿された時間を用いるとよい。例えば図２に示すトップページや、図５，図８等に示す検索結果を表示するページに、検索条件として時間を指定する入力領域を設定する。ユーザは、その時間を指定する入力領域に、始期と終期の日時情報を登録し、検索要求をする。制御部２２は、検索エンジン２１が検索し、検索結果記憶部２３に格納された各投稿のタイムスタンプをサーチし、上記の始期と終期の間に入る投稿を抽出し、抽出した投稿を表示対象にし、所定の並びで表示する。このように始期と終期を指定することで、例えば、テレビやラジオのある番組についての投稿の絞り込みを容易に行うことができる。また、○○曜日の××時台のように特定の時間帯でのテレビ・ラジオの番組についての世間の興味の程度、話題を効率よく取得できる。
【符号の説明】
【０１２５】
１  ユーザ端末
２  インターネット
３  ウェブ・サーバ
４  メディアデータベース
５  管理者端末
６  ユーザ情報データベース
２１  検索エンジン
２２  制御部
２３  検索結果記憶部
【図１】
2014026614.tif 000003
【図２】
2014026614.tif 000004
【図３】
2014026614.tif 000005
【図４】
2014026614.tif 000006
【図５】
2014026614.tif 000007
【図６】
2014026614.tif 000008
【図７】
2014026614.tif 000009
【図８】
2014026614.tif 000010
【図９】
2014026614.tif 000011
【図１０】
2014026614.tif 000012